(57)【要約】【課題】長尺状の記録媒体を用いる記録装置において、記録媒体の各ページの中に正確に画像を記録できるようにする。【解決手段】記録媒体に付されたページの先頭を示すマークを、ページ検出手段によって検出することに同期して、前記記録媒体の各ページに対応する画像を記録するための第２の記録データと前記第１の記録データとを合成する。この合成データに基づいて記録媒体への記録を行うことにより、ページ内にページの先頭を基準としたページ画像を連続画像と共に記録する。【選択図】図１０
2013059902.tif 000002
【特許請求の範囲】
【請求項１】
所定間隔毎にページの先頭を示すマークが付された長尺状の記録媒体を搬送し、複数のページに跨る連続的な第１の記録データに基づいて、前記記録媒体に対し記録手段によって複数ページに跨る画像を記録可能な記録装置において、
前記マークを検出し、前記記録媒体における各ページの先頭を検出するページ検出手段と、
前記ページ検出手段が前記マークを検出することに同期して、前記記録媒体の各ページに対応する画像を記録するための第２の記録データと前記第１の記録データとを合成する合成手段と、を備え、
前記合成手段により合成された合成データに基づいて前記記録媒体に対し前記記録手段による記録を行うことを特徴とする記録装置。
【請求項２】
前記ホスト装置から送信された情報を受信する受信手段と、
前記受信手段により前記ホスト装置から送信された前記第１の記録データを記憶する第１の記憶手段と、
前記第２の記録データを記憶する第２の記憶手段と、
を備え、
前記合成手段は、前記ページ検出手段が前記マークを検出することに同期して、前記第１の記憶手段に記憶されている第１の記録データと前記第２の記憶手段に記憶されている第２の記録データとを合成することを特徴とする請求項１に記載の記録装置。
【請求項３】
前記第２の記録データは、前記受信手段によって前記第１の記録データが受信される前に、前記受信手段によって受信した記録情報に従って生成された後、前記第２の記憶手段に格納されることを特徴とする請求項２に記載の記録装置。
【請求項４】
前記受信手段は、
前記ホスト装置から送信される前記第１の記録データを受信する第１の受信手段と、
前記ホスト装置から送信される前記第２の記録データを受信する第２の受信手段と、
を備えることを特徴とする請求項１または２に記載の記録装置。
【請求項５】
前記合成手段は、第１の記録データと第２の記録データとの論理和をとることによって合成データを生成することを特徴とする請求項１ないし４のいずれか一項に記載の記録装置。
【請求項６】
記録手段は、記録データに応じてインク滴を吐出するインクジェット記録ヘッドを用いて記録を行うことを特徴とする請求項１ないし５のいずれか一項に記載の記録装置。
【請求項７】
記録手段は、前記記録媒体の搬送方向と交差する方向に沿って、前記記録媒体の幅以上の範囲に亘って配置されたインク滴を吐出可能なノズルを備える記録ヘッドを備えることを特徴とする請求項１ないし６のいずれか一項に記載の記録装置。
【請求項８】
前記記録媒体は、複数ページ分の長さを有し、各ページの境界位置で折り曲げ可能な連続紙であることを特徴とする請求項１ないし７のいずれか一項に記載の記録装置。
【請求項９】
所定間隔毎にページの先頭を示すマークが付された長尺状の記録媒体を搬送し、複数のページに跨る連続的な第１の記録データに基づいて、前記記録媒体に対し複数ページに跨る画像を記録する記録方法であって、
前記マークを検出することにより前記記録媒体における各ページの先頭を検出するページ検出工程と、
前記ページ検出手段が前記マークを検出することに同期して、前記記録媒体の各ページに対応する画像を記録するための第２の記録データと前記第１の記録データとを合成する合成工程と、
前記合成データに基づいて前記記録媒体に対して記録を行う記録工程と、
を備えることを特徴とする記録方法。
【発明の詳細な説明】
【技術分野】
【０００１】
本発明は、複数のページに跨る連続的な画像を記録するための記録データに基づいて、長尺状の記録媒体に対し複数ページに跨る画像を連続的に記録する記録装置および記録方法に関する。
【背景技術】
【０００２】
ファンフォールド紙などの連続した長尺状の記録媒体（以下、連続紙という）につなぎ目なしで連続的にログデータなどの印刷を行う記録装置として、例えば、特許文献１に示すものがある。同文献に開示の記録装置ではホストコンピュータから送信される印刷データに基づき連続紙の中のページとは関係なく連続的に画像を記録するようになっている。
【発明の開示】
【発明が解決しようとする課題】
【０００３】
上記のように、従来の記録装置では、連続紙に対して連続的に画像を記録することは可能であるが、連続紙の各ページの中の所定の位置に正確に画像を記録可能とするものは存在していない。例えば、連続紙の各ページの上部または下部に、ヘッダーあるいはフッタなどのようなページ番号・記録日時・などを表す画像を正確に記録し得るものは存在していないのが現状である。
【０００４】
本発明は、長尺状の記録媒体に記録を行う記録装置において記録媒体の各ページの中に正確に画像を記録することが可能な記録装置および記録方法の提供を目的とする。
【課題を解決するための手段】
【０００５】
上記課題を解決するため、本発明は以下の構成を有する。
【０００６】
すなわち、本発明の第１の形態は、所定間隔毎にページの先頭を示すマークが付された長尺状の記録媒体を搬送し、複数のページに跨る連続的な第１の記録データに基づいて、前記記録媒体に対し記録手段によって複数ページに跨る画像を記録可能な記録装置において、前記マークを検出し、前記記録媒体における各ページの先頭を検出するページ検出手段と、前記ページ検出手段が前記マークを検出することに同期して、前記記録媒体の各ページに対応する画像を記録するための第２の記録データと前記第１の記録データとを合成する合成手段と、を備え、前記合成手段により合成された合成データに基づいて前記記録媒体に対し前記記録手段による記録を行うことを特徴とする。
【０００７】
本発明の第２の形態は、所定間隔毎にページの先頭を示すマークが付された長尺状の記録媒体を搬送し、複数のページに跨る連続的な第１の記録データに基づいて、前記記録媒体に対し複数ページに跨る画像を記録する記録方法であって、前記マークを検出することにより前記記録媒体における各ページの先頭を検出するページ検出工程と、前記ページ検出手段が前記マークを検出することに同期して、前記記録媒体の各ページに対応する画像を記録するための第２の記録データと前記第１の記録データとを合成する合成工程と、前記合成データに基づいて前記記録媒体に対して記録を行う記録工程と、を備えることを特徴とする。
【発明の効果】
【０００８】
本発明によれば、長尺状の記録媒体の各ページに跨って連続的に画像を記録しながら、各ページに合わせた情報を表す画像も正確な位置に記録することができる。
【図面の簡単な説明】
【０００９】
【図１】本実施形態における記録装置とホストコンピュータとを接続したシステム構成の説明図である。
【図２】図１における記録装置の概略構成図である。
【図３】図１における記録装置の制御系の概略構成を示すブロック図である。
【図４】図１の記録装置で使用するファンフォールド紙の概略図である。
【図５】図１の記録装置に対しホストから送信される種々の制御コマンドの構造を示した図である。
【図６】図１のホストコンピュータから記録装置への記録コマンドの転送例を示す図である。
【図７】図１の記録装置により受信された連続画像データを連続画像メモリ上に展開した状態を示す概念図である。
【図８】図１の記録装置により受信されたページデータの展開フォーマットと、そのフォーマットに従いページ画像メモリ上に展開したページデータの概念図である。
【図９】図１の記録装置によるページ画像メモリに記憶された連続画像データと連続画像メモリに記憶されたページデータ、および両データの合成データを示す概念図である。
【図１０】図１の記録装置における記録処理を説明するためのフローチャートである。
【図１１】本発明の第２の実施形態において転送される記録コマンドの例を示す概念図である。
【図１２】本発明の第２の実施形態における記録処理を説明するためのフローチャートである。
【発明を実施するための最良の形態】
【００１０】
以下、図面を参照して本発明の実施形態について詳細に説明する。  
[第１の実施形態]
図１は、本実施形態における記録装置とホストコンピュータとを接続したシステム構成の説明図である。図１において、記録装置１００には、情報処理装置としてのホストコンピュータ（ホスト装置）１０１がケーブル１０２によって接続されている。ホストコンピュータ１０１は、画像データ等を、制御コマンドとしてケーブル１０２を介して記録装置１００に出力する。また、ホストコンピュータ１０１は、記録装置１００のステータス情報（エラー情報など）を制御コマンドとして受信することにより、記録装置１００のステータスを使用者に通知する。
【００１１】
図２は、本実施形態における記録装置１００の概略構成図である。図２において記録装置１００は、図２に示すように折り曲げ可能な連続紙であるファンフォールド紙（記録媒体）２１０に対して画像が記録可能である。搬送部は搬送モータ２０６と搬送ベルト２０７を備えており、記録時に、図中の矢印方向（搬送方向）にファンフォールド紙２１０を搬送する。図２では、記録装置１００の右側に搬送入口１００ａが形成され、逆側（図２中の左側）に搬送出口が形成されている。
【００１２】
記録装置１００には、インク滴を吐出可能な記録手段としてのインクジェット記録ヘッド２０３が設けられている。この記録ヘッド２０３としては、ブラック（Ｋ）インク吐出用の記録ヘッド２０３Ｋ、シアン（Ｃ）インク吐出用の記録ヘッド２０３Ｃ、マゼンタ（Ｍ）インク吐出用の記録ヘッド２０３Ｍ、イエロー（Ｙ）インクと吐出用の記録ヘッド２０３Ｙが搭載されている。これら４本の記録ヘッドは、いずれもフルラインタイプのインクジェット記録ヘッドであり、使用するファンフォールド紙の搬送方向と交差（ここでは直交）する方向おける幅以上の範囲に亘ってインク滴を吐出するためのノズルを配列した長尺なノズル列を有する。これら４本の記録ヘッド２０３から、それぞれＫ、Ｃ、Ｍ、Ｙのインクを吐出することによって、フルカラーの画像の記録が可能である。それぞれの記録ヘッド２０３から吐出されるインクは、対応するインクカートリッジ２０４から供給される。２０４Ｋはブラック（Ｋ）インクを収容するインクカートリッジ、２０４Ｃはシアン（Ｃ）インクを収容するインクカートリッジ、２０４Ｍはマゼンタ（Ｍ）インクを収容するインクカートリッジ、２０４Ｙはイエロー（Ｙ）インクを収容するインクカートリッジである。
【００１３】
図３は、本実施形態における記録装置１００の制御系の概略構成を示すブロック図である。図３において、ホストコンピュータ１０１は、ファンフォールド紙の複数のページに跨って連続的に記録すべき画像を表す記録データ（第１の記録データ）等を含んだ連続画像データコマンドを制御コマンドとして記録装置１００に転送する。さらに、ホストコンピュータ１０１は、ページ毎に記録すべきページ画像を表す記録データ（第２の記録データ）等を含んだページ画像データコマンドを制御コマンドとして記録装置１００に転送する。これらの制御コマンドにより、記録装置１００による記録処理の開始が指示される。また、ホストコンピュータ１０１は、記録装置１００によって記録するファンフォールド紙２１０の種類やサイズ等を指示するための用紙設定コマンドを記録装置１００に向けて送信することができる。
【００１４】
記録装置１００は、インターフェースコントローラ（第１の受信手段）３０１によってホストコンピュータ１０１との間の通信を制御することによりホストコンピュータ１０１からのコマンド（連続画像データコマンド、ページ画像データコマンド、用紙設定コマンドなど）を受信する。記録装置１００は、受信した画像データが連続画像データコマンドであれば、各色成分の画像データを、連続画像メモリ３０３Ｋ,３０３Ｃ，３０３Ｍ，３０３Ｙのそれぞれにビットマップ展開する。また、受信した画像データがページ画像データコマンドであれば、そのコマンドの内容に応じた画像データの各色成分の画像データを、ページ毎にページ画像メモリ３０４Ｋ、３０４Ｃ、３０４Ｍ、３０４Ｙにビットマップ展開して描画される。また、ファンフォールド紙２１０のサイズおよび用紙設定コマンドは、ワークメモリ３０５に格納される。そして、連続画像データとページ画像データ、用紙設定コマンドとが連続画像メモリ３０３、ページ画像メモリ３０４のそれぞれに展開されてから、記録ヘッド２０３（２０３Ｋ〜２０３Ｙ）がヘッド昇降モータ３０９によって記録可能位置へ移動される。
【００１５】
記録に際しては、ファンフォールド紙２１０の搬送に同期して、メインコントローラ３００が連続画像メモリ３０３、ページ画像メモリ３０４のそれぞれから対応する色の記録データを順次読み出す。それらのデータは、記録ヘッド制御回路３０６を経由して、対応する色のインクを吐出する記録ヘッド２０３Ｋ〜２０３Ｙに出力される。この画像データの読み出し及び出力の詳細は後述する。記録ヘッド２０３Ｋ〜２０３Ｙのそれぞれは、入力された画像データに従って対応する色のインクを吐出することにより、多色のカラー画像を記録する。
【００１６】
また、入出力ポート３０７にはファンフォールド紙２０１に所定間隔毎に付与されたマークを検出してページ先端を検出するためのページ検出センサ３１１やその他各種機構を制御するためのセンサ３１２が接続されている。
【００１７】
図４は、本実施形態におけるファンフォールド紙（連続紙）２１０の概略図である。
【００１８】
長尺状のファンフォールド紙２１０は、各ページの境界位置にミシン目４０１が形成されており、各ミシンメ４０１を山折、谷折の順に折り曲げられることにより束状に積載されている。
【００１９】
また、ファンフォールド紙の裏側２１０ｂ（表側２１０ａが記録面）には、ミシン目２１０ｐとの近接位置においてマーク４０２が付加されている。また、本実施形態では、隣接するミシン目間の領域を１ページとしている。
【００２０】
図５及び図６はホストから送信される種々の制御コマンドの構造を示した図である。
【００２１】
図５に示すように、全てのコマンドは、そのコマンドの先頭にコマンドの種類を識別する識別コードが配置され、その識別コードに続いて、そのコマンドに関する付帯的な指示を設定するオペランドが続く。なお、コマンドの種類によっては、オペランドがなく、識別コードのみで構成される場合もある。
【００２２】
制御コマンドとしては、ファンフォールド紙２１０の１ページあたりのサイズ等を設定する用紙設定コマンド５０１、ページデータを形成するための画像データ５０２、シリアルナンバーコマンド５０３、文字５０４、日時５０５、連続画像データを形成する連続画像データコマンド５０６などがある。これらのコマンドは、図６の記録コマンド転送例５１０に示されるようなコマンド列としてホスト１０１から記録装置１００に出力される。  図７は、受信した連続画像データコマンド５０６を連続画像メモリ（第１の記憶手段）３０３上に展開した状態を概念的に示す図である。図７では、Ｋ、Ｃ、Ｍ、Ｙの画像データを重ねた状態で示している。連続画像データコマンド５０６を複数受信することで、図７に示すようにページの境界とは関連のない連続的な画像データが連続画像メモリ３０３上に展開される。展開された画像データによって表される画像の記録動作が終了すると、その画像に対応する画像データは連続画像メモリ３０３から開放され、開放された連続画像メモリ３０３に次の画像データが展開される。
【００２３】
図８（ａ）は、受信したページ画像データコマンドを展開するためのフォーマットであり、同図（ｂ）はそのフォーマットに従ってページ画像メモリ（第２の記憶手段）３０４に画像を展開した状態を示す概念図である。  
ページ画像データコマンド（記録情報）として受信した各コマンドは、コマンド内で指示したページ内の座標位置に画像データ、文字、日時、シリアルナンバーなどを展開する。本実施形態では、Ｄａｔａ０１（７０１）の位置に日時コマンド５０５として受信したデータを展開している。また、Ｄａｔａ０２（７０２）の位置にはシリアルナンバーコマンド５０３として受信したデータを展開し、Ｄａｔａ０３（７０３）の位置には画像データコマンド５０２として受信したデータを展開している。
【００２４】
展開の際は、複数ページ分のデータを展開する。例えば、Ｄａｔａ０１（７０１）の位置における日時コマンド５０５では印刷日時の時間をページ毎に異なる時間として展開する。Ｄａｔａ０２（７０２）の位置のシリアルナンバーコマンド５０３では、ページ毎にインクリメントされた数値を展開する。Ｄａｔａ０３（７０３）の位置の画像データ５０２では、複数の画像データコマンド５０２により展開したデータをすべてのページに対し展開する。図８(ｂ)では、３ページ分の画像データを展開した状態を示している。
【００２５】
記録動作前に展開するページ数は、用紙設定コマンドにて設定された１ページあたりのサイズにより決定する。展開したページ画像メモリ３０４に記憶されたページ画像データに基づく記録動作が終了すると、そのページ画像データはページ画像メモリ３０４から開放され、開放されたページ画像メモリ３０４に次のページのデータが展開される。
【００２６】
図９は、ページ画像メモリ３０４に記憶されたページ画像データと連続画像メモリ３０３に記憶された連続画像データとの合成データを説明する概念図である。連続画像メモリ３０３に展開された連続画像データ８０１対しページ画像メモリ３０４に展開されたページデータ８０２ａ〜８０２ｃを合成した結果、合成データ８０３が得られる。この合成データを生成する処理は、記録ヘッド制御回路３０６によって連続画像データ８０１とページ画像データ８０２との論理和をとることによって行われる。本実施形態では、前記記録ヘッド制御回路３０６に設けられたオアゲートに、前記連続画像データ８０１とページ画像データ８０２とが入力され、オアゲートから出力された画像データを合成記録データとする。
【００２７】
連続画像データ８０１はファンフォールド紙２１０のページ位置とは関係なく記録されるが、ページ画像データ８０２はファンフォールド紙２１０の各ページの先頭を基準にして記録を行う。より具体的には、各ページに付されたマーク４０２の位置をセンサが検出したことに同期して記録を行う。ファンフォールド紙２１０の実際のサイズが１ページ分のページ画像データ８０２より大きい場合は、１ページ分のページ画像データ８０２を記録終了した時点から次のページの先頭までは、連続画像データ８０１のみの記録となることがある。
【００２８】
図１０は、本実施形態における記録装置におけるメインコントローラ３００によって実行される記録処理を説明するためのフローチャートである。  
まず、メインコントローラ３００は、ホストコンピュータ１０１から記録装置１００に対して送信された、ファンフォールド紙２１０のサイズなどの用紙設定コマンド５０１およびページ画像データコマンドを受信する（Ｓ９０１）。その後、メインコントローラ３００は、ページ画像データコマンドにて指示された内容に従い、所定ページ数分のページ画像データをページ画像メモリ３０４に展開する（Ｓ９０２）。
【００２９】
次に、メインコントローラ３００は、連続画像データコマンド５０６を受信し、その連続画像データを連続画像データメモリ３０３に展開し（Ｓ９０３）、所定サイズ以上の連続画像データがメモリ３０３に展開されたか否かの判断を行う（Ｓ９０４）。ここで、所定サイズ以上の画像データが展開されたと判断された場合には、メインコントローラ３００は、モータ駆動回路３０８を制御してヘッド昇降モータ３０９を駆動させ、記録ヘッド２０３を記録可能な位置へと移動させる。さらに、メインコントローラ３００は搬送モータ３１０を制御し、ファンフォールド紙２１０の搬送を開始し（Ｓ９０５）、その後、ページ検出センサ３１１がファンフォールド紙２１０に付加されたマーク４０２を検出したか否かを判断する（Ｓ９０６）。ページ検出センサ３１１がマーク４０２を検出すると、メインコントローラ３００は、Ｓ９０７の記録処理を実行する。
【００３０】
この記録処理Ｓ９０７において記録される画像の画像データは、連続画像データとページ画像データとを合成した合成データである。この合成データに基づく記録動作において、連続画像データは各ページの先頭の検出に同期することなく連続的に記録されるが、ページ画像はページ検出センサ３１１にてページ先頭が検出されたことに同期して記録される。これにより、ページ画像データは、各ページの先頭位置を基準として記録されるため、各ページ画像の記録位置に僅かなずれが発生したとしても、そのずれが次のページの記録位置に対して影響を及ぼすことがない。つまり、多数のページを連続的に記録した場合にも各ページ画像の記録位置のずれが累積されることはなく、各ページ画像を常に良好な位置精度をもって形成することができる。従って、記録開始当初と記録終了時とで、各ページ（ミシン目間の領域）におけるページ画像の記録位置に大きなずれが生じることはない。例えば、図８に示すように各ページ内で常に一定の位置関係で記録されることが望ましいページ画像を多数ページ記録したとしても、各ページ画像は各ページの先頭位置を基準にして記録が行われるため、いずれのページもほぼ同様の位置にページ画像が記録される。
【００３１】
また、記録ヘッド２０３にて記録が終了したページ画像のページ画像データ及び連続画像の連続画像データが記憶されていたメモリ３０３，３０４の記憶領域は逐次開放され、開放されたメモリの記憶領域に新たな画像データを展開する。この時、記録動作と並行して連続画像データの受信・展開処理も行われる（Ｓ９０７）。
【００３２】
記録動作は、ジャムなどの中断要因が発生するか、未記録の連続画像データが無くなるまで継続される（Ｓ９０８）。受信した全ての連続画像データに基づく記録が行われると、記録ヘッド２０３による記録が停止され、記録ヘッド２０３はヘッド昇降モータによってヘッド保護位置に移動すると共に、ファンフォールド紙２１０を所定位置まで排紙する（Ｓ９０９）。以上により、記録に関する処理は終了となる（Ｓ９０９）。
【００３３】
このように本実施形態に係る記録装置によれば、ファンフォールド紙に連続画像データを記録すると共に、ファンフォールド紙の各ページに、ページの先頭位置を基準にして正確に画像を記録することができる。
【００３４】
［第２の実施形態]
上記第１の実施形態では、ページ画像データは記録動作前にページ画像データコマンドを受信すると、その後、記録装置に予め格納されているページ画像データをマーカの検出に基づいて読み出すようになっている。しかし、本発明は、以下に説明する第２の実施形態のように、ページ画像データを受信するためのインターフェースコントローラ（第２の受信手段）を持ち、ページ画像データも、連続画像データと同様にホストコンピュータから逐次受信する方式とすることも可能である。
【００３５】
図１１はこの第２の実施形態における記録コマンドの転送例である。図１１に示すように、この実施形態においては、ホスト１０１から記録装置１００への画像の転送経路は２経路１００１と１００２とがある。このうち、転送経路１００１では連続画像データコマンドが送信され、転送経路１００２ではページ画像データコマンドが送信される。なお、その他の構成は上記第１の実施形態と同様であり、その構成の説明は省略する。
【００３６】
図１２は、この第２の実施形態における記録装置におけるメインコントローラ３００によって実行される記録処理を説明するためのフローチャートである。  
まず、メインコントローラ３００はホストコンピュータ１０１から記録装置１００に対して送信された、ファンフォールド紙２１０のサイズなどの用紙設定コマンド５０１を受信する（Ｓ１１０１）。次にメインコントローラ３００は、ページ画像データコマンドを受信し、ページ画像データコマンドにて指示された内容に従い、ページ画像データをページ画像メモリ３０４に展開する（Ｓ１１０２）。
【００３７】
次に、メインコントローラ３００は連続画像データコマンド５０６を受信し、これを連続画像データメモリ３０３に展開する（Ｓ１１０３）。所定サイズ以上の連続画像データ及びページ画像データの展開が終了すると（Ｓ１１０４）、記録ヘッド２０３を記録位置へと移動させ、ファンフォールド紙２１０の搬送を開始する（Ｓ１１０５）。ファンフォールド紙２１０に付与されたマーク４０２がページ検出センサ３１１にて検出され（Ｓ１１０６）、そのページの先頭位置が各記録ヘッド２０３下まで搬送されると、Ｓ１１０７の記録処理が実行される（Ｓ１１０７）。
【００３８】
この記録処理Ｓ１１０７において記録される画像の画像データは、上記第１の実施形態と同様に連続画像データとページ画像データとを合成した合成データである。但し、この第２の実施形態では、ページ画像データが前述のようにホストコンピュータ１０１から転送された画像データとなっている。この第２の実施形態においても、合成データに基づく記録動作では、連続画像は各ページの先頭の検出に同期することなく連続的に記録され、ページ画像はページ検出センサ３１１にてページ先頭が検出されたことに同期して記録される。また、この記録動作と並行して連続画像データの受信・展開処理及び、ページデータの受信・展開処理が行われる。すなわち、記録済みのページ画像及び連続画像データが記憶されていたメモリ３０３，３０４の記憶領域は逐次開放され、開放されたメモリの記憶領域に新たなデータが展開される。
【００３９】
記録動作は、ジャムなどの中断要因が発生しないか、未記録の連続画像データ又はページデータが無くなるまで継続され（Ｓ１１０８）、受信した全ての連続画像データ又はページデータが記録されると、記録ヘッド２０３による記録が停止される。その後、記録ヘッド２０３は保護位置に移動すると共に、ファンフォールド紙２１０を所定位置まで排紙し、記録動作は終了となる（Ｓ１１０９）。
【００４０】
このようにこの第２の実施形態における記録装置では、ページ画像データもホストＰＣから逐次受信しながら、ファンフォールド紙に連続画像データを記録すると共に、各ページの中の所望の位置に正確に画像を記録することが可能となる。
【００４１】
[その他の実施形態]
上記第２の実施形態ではページ画像データを受信するためのインターフェースコントローラを、連続画像データを受診するためのインターフェースコントローラとは別に備える構成とした。しかし、ページ画像データと連続画像データの双方の受信を、同一インターフェースを使用して行うことも可能である。これは、例えば、通信プロトコルや別パイプを用いることにより実現可能である。
【００４２】
また、上記各実施形態では、フルラインタイプのインクジェット方式の印刷装置を利用するものとして説明したが、サーマルヘッドを用いた熱転写方式のプリンタ等、他の方式の記録ヘッドを持つフルラインタイプのプリンタに対しても有効である。さらに、記録画像の階調性を高めるために淡色インクの記録ヘッドを追加したものに対しても本発明は適用可能である。
【符号の説明】
【００４３】
１００    記録装置
１０１    ホストコンピュータ（情報処理装置）
２０３    記録ヘッド
２１０    ファンフォールド紙（被記録媒体）
３００    メインコントローラ
３０１    インターフェースコントローラ
３０２    プログラムＲＯＭ
３０３    連続画像メモリ
３０４    ページ画像メモリ
３０５    ワークメモリ
３０６    記録ヘッド制御回路
３１１    ページ検出センサ
４０１    ミシン目
４０２    マーク
５０１    用紙設定コマンド
５０２    ページ画像データコマンドの画像データコマンド
５０３    ページ画像データコマンドのシリアルナンバーコマンド
５０４    ページ画像データコマンドの文字コマンド
５０５    ページ画像データコマンドの日時コマンド
５０６    連続画像データコマンド
７０１    日時コマンド展開部
７０２    シリアルナンバー展開部
７０３    画像データ展開部
８０１    連続画像データ
８０２    ページ画像データ
８０３    合成記録データ
１００１  連続画像データコマンドのコマンド転送例
１００２  ページ画像データコマンドのコマンド転送例
【図１】
2013059902.tif 000003
【図２】
2013059902.tif 000004
【図３】
2013059902.tif 000005
【図４】
2013059902.tif 000006
【図５】
2013059902.tif 000007
【図６】
2013059902.tif 000008
【図７】
2013059902.tif 000009
【図８】
2013059902.tif 000010
【図９】
2013059902.tif 000011
【図１０】
2013059902.tif 000012
【図１１】
2013059902.tif 000013
【図１２】
2013059902.tif 000014